(57)【要約】  【課題】  安価な構成でターンテーブルの面振れを規定値内に収めることが可能な光ディスク回転装置を提供する。  【解決手段】  モータ２と、モータ２の主軸４の先端部に固定されて主軸４と一体で回転する合成樹脂製のターンテーブル３とを備える。モータ２は、主軸４を回転可能に支持する軸受５と、軸受５の周囲に配設された電磁石６と、テーブル３の背後で主軸４に固定された鍔状部８ａを有しつつ、電磁石６を取り囲むように永久磁石７が取り付けられた金属製のロータハウジング８とを備える。テーブル３上には、その周縁部に光ディスクＤを接触支持する環状ゴム板１５が貼り付けられるとともに、環状ゴム板１５の内側に環状凹部３ａが形成されている。テーブル３の環状凹部３ａには、主軸４を中心とした周方向の６個所でねじ孔２０が形成され、各ねじ孔２０には、ハウジング３の鍔状部３ａに各々の先端が当接する調整用の止めねじ２１が螺合している。【選択図】      図２
2006302373.tif 000002
【特許請求の範囲】
【請求項１】
モータと、このモータの主軸の先端部に固定されて前記主軸と一体で回転する合成樹脂
製のターンテーブルとを備え、前記ターンテーブル上に支持された光ディスクを前記主軸
の回転に従って回転させる光ディスク回転装置であって、
前記モータは、
前記主軸を回転可能に支持する軸受と、
この軸受の周囲に配設された電磁石と、
前記ターンテーブルの背後で前記主軸に固定された鍔状部を有しつつ、前記電磁石を取
り囲むように永久磁石が取り付けられた金属製のロータハウジングとを備え、
前記ターンテーブル上には、その周縁部に前記光ディスクを接触支持する環状ゴム板が
貼り付けられるとともに、前記環状ゴム板の内側に前記主軸を中心とした環状凹部が形成
された光ディスク回転装置において、
前記ターンテーブルの前記環状凹部には、前記主軸を中心とした周方向の６個所で互い
に等角度間隔をあけてねじ孔が形成されるとともに、これらのねじ孔のうちの１つに隣接
して調整基準の目印が形成され、前記各ねじ孔には、前記ロータハウジングの前記鍔状部
に各々の先端が当接する調整用の止めねじが螺合しており、
前記止めねじが六角穴付き止めねじであり、その前記先端の形状が丸先であることを特
徴とする光ディスク回転装置。
【請求項２】
モータと、このモータの主軸の先端部に固定されて前記主軸と一体で回転する合成樹脂
製のターンテーブルとを備え、前記ターンテーブル上に支持された光ディスクを前記主軸
の回転に従って回転させる光ディスク回転装置であって、
前記主軸には、前記ターンテーブルの背後で前記主軸と一体で回転する金属製の鍔状部
材が固定されており、
前記ターンテーブルには、前記主軸を中心とした周方向の少なくとも３個所で互いに間
隔をあけてねじ孔が形成され、これらの各ねじ孔には、前記鍔状部材に各々の先端が当接
する調整用の止めねじが螺合していることを特徴とする光ディスク回転装置。
【請求項３】
前記各ねじ孔は、前記主軸を中心として互いに等角度間隔をあけて形成されていること
を特徴とする請求項２に記載の光ディスク回転装置。
【請求項４】
前記ターンテーブル上には、その周縁部に前記光ディスクを接触支持する環状ゴム板が
貼り付けられるとともに、前記環状ゴム板の内側に前記主軸を中心とした環状凹部が形成
されており、この環状凹部に前記各ねじ孔が形成されていることを特徴とする請求項２又
は３に記載の光ディスク回転装置。
【請求項５】
前記ターンテーブルには、前記ねじ孔のうちの１つに隣接して調整基準の目印が形成さ
れていることを特徴とする請求項２〜４のいずれかに記載の光ディスク回転装置。
【請求項６】
前記止めねじが六角穴付き止めねじであることを特徴とする請求項２〜５のいずれかに
記載の光ディスク回転装置。
【請求項７】
前記止めねじの前記先端の形状が丸先であることを特徴とする請求項２〜６のいずれか
に記載の光ディスク回転装置。
【請求項８】
前記モータは、
前記主軸を回転可能に支持する軸受と、
この軸受の周囲に配設された電磁石と、
この電磁石を取り囲むように永久磁石が取り付けられて前記主軸に固定された金属製の
ロータハウジングとを備え、
前記ロータハウジングが前記鍔状部材を含むことを特徴とする請求項２〜７のいずれか
に記載の光ディスク回転装置。
【発明の詳細な説明】
【技術分野】
【０００１】
本発明は、情報記録媒体であるＣＤやＤＶＤ等の光ディスクに対して情報の再生や記録
を行うための光ピックアップ装置に搭載された光ディスク回転装置に関する。
【背景技術】
【０００２】
一般に、光ピックアップ装置は、クランプした光ディスクを回転させ、その光ディスク
の記録面にレーザー光を出射してその記録面上に情報を書き込んだり（記録）、更に光デ
ィスクの記録面で反射したレーザー光を受光してその記録面上の情報を読み取ったり（再
生）するものであり、光ディスクをクランプして回転させるための光ディスク回転装置を
搭載している。
【０００３】
従来の光ディスク回転装置としては、図５〜図７に示すようなものがある（例えば特許
文献１参照）。この光ディスク回転装置１０１は、大きくは、モータ２と、ターンテーブ
ル３とより構成される。
【０００４】
ここでのモータ２は、大きくは、主軸４と、この主軸４を回転可能に支持する軸受５と
、この軸受５の周囲に配設された静止の電磁石６と、この電磁石６を取り囲むように永久
磁石７が取り付けられ主軸４に固定されたロータハウジング８とより構成される。軸受５
としては、主軸４が挿入されてその主軸４の周面を支持するスリーブ状のラジアル軸受５
Ａと、丸みを帯びた主軸４の下端面を支持する円板状のスラスト軸受５Ｂとを備え、これ
らのラジアル軸受５Ａとスラスト軸受５Ｂは、下端が閉ざされた筒状の軸受ホルダ９内に
嵌め込まれて保持されている。
【０００５】
主軸４は、その上端部が軸受ホルダ９から突出した状態で、スラスト軸受５Ｂによって
下方への移動が規制されながら、ラジアル軸受５Ａによって回転可能に支持されている。
また、主軸４の下端部の周面には、周方向に沿って溝４ａが形成されており、この溝４ａ
に装着されて軸受ホルダ９内に嵌め込まれたワッシャ１０によって、主軸４の上方への抜
けが防止されている。軸受ホルダ９は、ベース板１１に対してカシメ等で固定され、ベー
ス板１１から上方へ大きく突出している。そのベース板１１上には、回路基板１２が取り
付けられており、この回路基板１２からはその回路に接続されたケーブル１３が延び出し
ている。
【０００６】
ベース板１１から上方へ突出した軸受ホルダ９の周囲には、支持された主軸４を中心と
して等角度間隔をあけて径方向に延び出す複数のコア６Ａが取り付けられており、これら
の各コア６Ａには、コイル６Ｂが巻かれている。コイル６Ｂは回路基板１２の回路に接続
されている。これらのコア６Ａとコイル６Ｂが電磁石６として機能する。
【０００７】
ロータハウジング８は、金属板より成るものであって、電磁石６を取り囲む筒状部８ａ
と、この筒状部８ａの上端を塞ぎつつカシメ等で主軸４に固定された鍔状部８ｂとを有す
る。こうして、主軸４は、その上端部が鍔状部８ｂから大きく突出している。また、筒状
部８ａの内周面には、電磁石６に対して隙間をあけつつ、電磁石６に向けての個々の極性
がその周方向で互い違いになるように、複数の永久磁石７が取り付けられている。
【０００８】
このようなモータ２では、正負が順次切り換わる電流（交流電流）がコイル６Ｂに流さ
れると、コア６Ａには向きが交互に反転する磁界が生じ、これにより、各永久磁石７との
磁気的な作用でロータハウジング８に回転力が与えられ、主軸４はロータハウジング８と
一体で回転駆動される。
【０００９】
続いて、ターンテーブル３は、合成樹脂より成る円盤状ものであって、その中心部が主
軸４の上端部に嵌め込まれて固定されている。こうして、ターンテーブル３は、その背後
にロータハウジング８の鍔状部８ｂが配置された格好で、主軸４及びロータハウジング８
と一体で回転するようになる。
【００１０】
ターンテーブル３の中央部は、上方へ向けて大きく突出しており、光ディスクＤ（図中
の二点鎖線参照）は、その内周がその突出したターンテーブル３の中央部に案内されて位
置決めされる。また、ターンテーブル３上には、その周縁部に、適度な弾性を有しつつ摩
擦係数の高い環状のゴム板１５が両面粘着テープ１６や接着剤等で貼り付けられ、その環
状ゴム板１５の内側に、主軸４を中心とした環状凹部３ａが形成されており、光ディスク
Ｄは環状ゴム板１５上に接触支持される。また、ターンテーブル３の中央部には、磁性片
１７が埋め込まれている。この磁性片１７は、不図示のクランプ部材に一体的に設けられ
た磁石との引力の作用によってクランプ部材を上方から引き込み、これにより、そのクラ
ンプ部材の下面とターンテーブル３の環状ゴム板１５上との間で光ディスクＤを挟み込ん
で強固にクランプする役割を果たす。
【００１１】
このような光ディスク回転装置１０１では、ターンテーブル３上に光ディスクＤがクラ
ンプされた後、モータ２が駆動されると、ロータハウジング８及び主軸４と共にターンテ
ーブル３が回転し、これにより主軸４を中心に光ディスクＤが回転するようになる。そし
て光ピックアップ装置においては、その回転する光ディスクＤの記録面に沿う径方向に光
ヘッドが走査し、これにより再生や記録が行われる。
【特許文献１】特開２００４−１１０９１９号公報
【発明の開示】
【発明が解決しようとする課題】
【００１２】
ところで、ターンテーブル３には、主軸４を中心とした回転中、光ディスクＤを接触支
持する環状ゴム板１５上においての面触れが規定値内であることが要求される。そのター
ンテーブル３の面触れに追従して光ディスクＤの記録面も触れるため、面振れが大きいと
、光ディスクＤの記録面と光ヘッドとの距離が繰り返して大きく変動し、その結果再生や
記録が不可能になるからである。
【００１３】
このような要求に対し、従来の光ディスク回転装置１０１では、高い寸法精度を満たし
たターンテーブル３や環状ゴム板１５を調達したり、組立て後の面触れ調整でターンテー
ブル３や環状ゴム板１５を精密加工したりして、ターンテーブル３の面振れを規定値内に
収めていた。そのため、ターンテーブル３や環状ゴム板１５についての部品コストが高く
ならざるを得ないし、面触れ調整に伴う煩雑な精密加工が強いられていた。
【００１４】
そこで本発明は、上記の問題に鑑みてなされたものであり、安価な構成でターンテーブ
ルの面振れを規定値内に収めることが可能な光ディスク回転装置を提供することを目的と
するものである。
【課題を解決するための手段】
【００１５】
上記目的を達成するため、本発明による光ディスク回転装置は、モータと、このモータ
の主軸の先端部に固定されて前記主軸と一体で回転する合成樹脂製のターンテーブルとを
備え、前記ターンテーブル上に支持された光ディスクを前記主軸の回転に従って回転させ
る光ディスク回転装置であって、前記モータは、前記主軸を回転可能に支持する軸受と、
この軸受の周囲に配設された電磁石と、前記ターンテーブルの背後で前記主軸に固定され
た鍔状部を有しつつ、前記電磁石を取り囲むように永久磁石が取り付けられた金属製のロ
ータハウジングとを備え、前記ターンテーブル上には、その周縁部に前記光ディスクを接
触支持する環状ゴム板が貼り付けられるとともに、前記環状ゴム板の内側に前記主軸を中
心とした環状凹部が形成された光ディスク回転装置において、次の点を特徴とする。前記
ターンテーブルの前記環状凹部には、前記主軸を中心とした周方向の６個所で互いに等角
度間隔をあけてねじ孔が形成されるとともに、これらのねじ孔のうちの１つに隣接して調
整基準の目印が形成され、前記各ねじ孔には、前記ロータハウジングの前記鍔状部に各々
の先端が当接する調整用の止めねじが螺合しており、前記止めねじが六角穴付き止めねじ
であり、その前記先端の形状が丸先である。
【００１６】
このような構成にすると、ターンテーブルは、その中心部が支軸に固定されるとともに
、その中心部の周囲の環状凹部が支軸に固定のロータハウジングの鍔状部に各止めねじを
介して支持された格好になる。そして、各止めねじの捩込み度合いを個々に調整すること
で、各止めねじの突出量を調整し、これにより、支軸を支点としつつロータハウジングの
鍔状部に対してターンテーブルを撓ませ、その面触れを規定値内に収めることができる。
【００１７】
また、上記目的を達成するための本発明による光ディスク回転装置は、モータと、この
モータの主軸の先端部に固定されて前記主軸と一体で回転する合成樹脂製のターンテーブ
ルとを備え、前記ターンテーブル上に支持された光ディスクを前記主軸の回転に従って回
転させる光ディスク回転装置であって、前記主軸には、前記ターンテーブルの背後で前記
主軸と一体で回転する金属製の鍔状部材が固定されており、前記ターンテーブルには、前
記主軸を中心とした周方向の少なくとも３個所で互いに間隔をあけてねじ孔が形成され、
これらの各ねじ孔には、前記鍔状部材に各々の先端が当接する調整用の止めねじが螺合し
ている。
【００１８】
このような構成にすると、ターンテーブルは、その中心部が支軸に固定されるとともに
、その中心部の周囲が支軸に固定の鍔状部材に各止めねじを介して支持された格好になる
。そして、各止めねじの捩込み度合いを個々に調整することで、各止めねじの突出量を調
整し、これにより、支軸を支点としつつ鍔状部材に対してターンテーブルを撓ませ、その
面触れを規定値内に収めることができる。
【００１９】
また、ターンテーブルへのねじ孔の形成容易性や、ターンテーブルの面触れ調整時の止
めねじの位置の認定容易性を踏まえ、前記各ねじ孔は、前記主軸を中心として互いに等角
度間隔をあけて形成されていることが好ましい。
【００２０】
また、実用的には、前記ターンテーブル上には、その周縁部に前記光ディスクを接触支
持する環状ゴム板が貼り付けられるとともに、前記環状ゴム板の内側に前記主軸を中心と
した環状凹部が形成されており、この環状凹部に前記各ねじ孔が形成されているとよい。
【００２１】
また、ターンテーブルの面触れ調整時の基準を明確にする目的で、前記ターンテーブル
には、前記ねじ孔のうちの１つに隣接して調整基準の目印が形成されていることが好まし
い。
【００２２】
また、実用的には、前記止めねじが六角穴付き止めねじであることが好ましい。前記止
めねじの前記先端の形状が丸先であることが好ましい。
【００２３】
そしてまた、実用性を踏まえると、前記モータは、前記主軸を回転可能に支持する軸受
と、この軸受の周囲に配設された電磁石と、この電磁石を取り囲むように永久磁石が取り
付けられて前記主軸に固定された金属製のロータハウジングとを備え、前記ロータハウジ
ングが前記鍔状部材を含むことが好ましい。
【発明の効果】
【００２４】
本発明の光ディスク回転装置によれば、ターンテーブルに止めねじを設けるという安価
な構成で、しかも各止めねじを捩じ込み又は捩じり戻すという簡単な調整作業によって、
ターンテーブルの面振れを規定値内に収めることができる。
【発明を実施するための最良の形態】
【００２５】
以下に、本発明の光ディスク回転装置の一実施形態について、図面を参照しながら詳述
する。図１は本発明の一実施形態である光ディスク回転装置の側面図、図２はその光ディ
スク回転装置の側方視での断面図、図３はその光ディスク回転装置の上面図である。なお
、これらの図中で図５〜図７と同じ名称で同じ機能を果たす部分には同一の符号を付し、
重複する説明は適宜省略する。
【００２６】
図１〜図３に示すように、本実施形態の光ディスク回転装置１は、従来の光ディスク回
転装置１０１（図５〜図７参照）と同様に、モータ２と、ターンテーブル３とより構成さ
れる。
【００２７】
特に、本実施形態の光ディスク回転装置１では、ターンテーブル３の環状凹部３ａに、
主軸４を中心とした周方向の６個所で互いに等角度間隔をあけてねじ孔２０が形成されて
いる。つまり、６個のねじ孔２０が主軸４を中心として６０°ピッチで形成されている。
これらの各ねじ孔２０には、調整用の止めねじ２１が上方より螺合しており、これらの各
止めねじ２１の先端がロータハウジング８の鍔状部８ｂに当接している。
【００２８】
ここでの止めねじ２１としては、先端の形状が丸先である六角穴付き止めねじが好適で
ある。但し、すりわり付き止めねじや十字穴付き止めねじ等を適用しても構わず、その先
端の形状が、平先、とがり先、棒先、くぼみ先等であっても構わない。
【００２９】
また、ターンテーブル３の環状凹部３ａ上には、ねじ孔２０のうちの１つに隣接して調
整基準を示す目印２２が形成されている。図３では、その目印２２として、三角形の刻印
が形成されている。但し、調整基準として識別できる限り、円形や四角形等の他の記号の
刻印でも構わないし、突起であっても構わない。
【００３０】
このような構成にすると、ターンテーブル３は、その中心部が支軸４に固定されるとと
もに、その中心部の周囲の環状凹部３ａが支軸４に固定のロータハウジング８の鍔状部８
ｂに各止めねじ２１を介して支持された格好になる。そして、各止めねじ２１の捩込み度
合いを個々に調整することで、各止めねじ２１の突出量を調整し、これにより、支軸４を
支点としつつロータハウジング８の鍔状部８に対してターンテーブル３を撓ませ、その面
触れを規定値内に収めることができる。
【００３１】
ここでのターンテーブル３の面触れ調整は、具体的には以下に示すような手法によって
行える。組立て後の光ディスク回転装置１に対して、先ず、ターンテーブル３の環状凹部
３ａに形成した目印２２に、面触れ測定器であるレーザー変位計の測定開始点を合わせる
。続いて、モータ２を駆動して主軸４を中心にターンテーブル３を一回り回転させ、主軸
４の軸方向の変位をレーザー変位計によって測定する。レーザー変位計からは、目印２２
の位置を基準とした回転角度ごとの変位がグラフ化されて出力される。図４にその出力の
一例を示す。この変位が現時点でのターンテーブル３の面振れに相当する。
【００３２】
その変位のグラフから最小変位点の回転角度（図４では２４０°）と最大変位点の回転
角度（図４では６０°）を認定し、その回転角度付近の止めねじ２１について、変位が０
（ゼロ）になる方向に、六角レンチ等の工具を用いて捩じ込み又は捩じり戻して調整する
。これにより、変位の大きい点での止めねじ２１の突出量が変化し、その付近でターンテ
ーブル３が撓んで全体の面触れが調整される。こうして、ターンテーブル３の面振れを規
定値内に収めることができる。このようなターンテーブル３の面振れ調整は、ターンテー
ブル３に止めねじ２１を設けることで安価に実現でき、しかも各止めねじ２１を捩じ込み
又は捩じり戻すという簡単な作業で行える。
【００３３】
その他本発明は上記の実施形態に限定されず、本発明の趣旨を逸脱しない範囲で、種々
の変更が可能である。例えば、ターンテーブル３に設けるねじ孔２０すなわち止めねじ２
１の個数は、６個に限らず、３個以上あればよい。止めねじ２１が３個以上あれば、捩込
み度合いの調整で、鍔状部８ｂに対してターンテーブル３を安定して撓ませることができ
るからである。
【００３４】
また、ターンテーブル３に設けるねじ孔２０すなわち止めねじ２１の位置は、主軸４を
中心とした等角度間隔に限らず、面振れ調整時にその位置が明らかである限り、特に限定
はない。但し、等角度間隔の場合は、ターンテーブル３へのねじ孔２０の形成や、面振れ
調整時の止めねじ２１の位置の認定が容易に行える点で有利である。
【００３５】
また、ターンテーブル３を回転させるモータとして、上記の実施形態では主軸４と共に
ロータハウジング８が回転するモータ２を採用しているが、これに代えて、静止のハウジ
ングから先端部が突出した主軸が回転する一般的なモータを採用しても構わない。この場
合は、ターンテーブル３の背後に主軸と一体で回転する金属製の鍔状部材を主軸に固定す
ることで足りる。
【産業上の利用可能性】
【００３６】
本発明は、光ディスクに対して情報の再生や記録を行うための光ピックアップ装置に有
用である。
【図面の簡単な説明】
【００３７】
【図１】本発明の一実施形態である光ディスク回転装置の側面図である。
【図２】図１の光ディスク回転装置の断面図である。
【図３】図１の光ディスク回転装置の上面図である。
【図４】ターンテーブルの面触れ測定の出力の一例を示す図である。
【図５】従来の光ディスク回転装置の側面図である。
【図６】図５の光ディスク回転装置の断面図である。
【図７】図５の光ディスク回転装置の上面図である。
【符号の説明】
【００３８】
１    光ディスク回転装置
２    モータ
３    ターンテーブル
３ａ    環状凹部
４    主軸
４ａ    溝
５    軸受
５Ａ    ラジアル軸受
５Ｂ    スラスト軸受
６    電磁石
６Ａ    コア
６Ｂ    コイル
７    永久磁石
８    ロータハウジング
８ａ    筒状部
８ｂ    鍔状部
９    軸受ホルダ
１０    ワッシャ
１１    ベース板
１２    回路基板
１３    ケーブル
１５    環状ゴム板
１６    両面粘着テープ
１７    磁性片
２０    ねじ孔
２１    止めねじ
２２    目印
Ｄ    光ディスク
【図１】
2006302373.tif 000003
【図２】
2006302373.tif 000004
【図３】
2006302373.tif 000005
【図４】
2006302373.tif 000006
【図５】
2006302373.tif 000007
【図６】
2006302373.tif 000008
【図７】
2006302373.tif 000009